(57)【要約】【課題】  ベッドに寝ている要介護者の移乗が可能で容易な車椅子を提供することにある。【解決手段】  要介護者の尻部が乗る座部と、座部の前後のいずれかの一辺に回動自在に設けられ、要介護者の背部を保持するバックレストと、座部の前後の他辺に回動自在に設けられ、要介護者の脚を保持するフットレストと、ベッドの下方に挿入可能な脚フレームと脚フレームの一端から起立する起立フレームとを有し、起立フレームが座部の側面をベッドの寝具上面より高く保持する脚部と、座部を要介護者が乗って沈み込んだ分に相当する高さだけ上下させるリフト機構とを備え、座部、バックレスト及びフットレストの非脚部側の側面が開放され、バックレスト及びフットレストを水平に回動させた状態で、座部、バックレスト及びフットレストを開放された側からベッドの上側に挿入可能で又離脱可能なことを特徴とする。【選択図】図１
2012147881.tif 000002
【特許請求の範囲】
【請求項１】
要介護者のベッドからの移乗を考慮した車椅子において、
該要介護者の尻部が乗る座部と、
該座部の前後のいずれかの一辺に回動自在に設けられ、該要介護者の背部を保持するバックレストと、
該座部の前後の他辺に回動自在に設けられ、該要介護者の脚を保持するフットレストと、
該ベッドの下方に挿入可能な脚フレームと該脚フレームの一端から起立する起立フレームとを有し、該起立フレームが該座部の側面を該ベッドの寝具上面より高く保持する脚部と、
該座部を該要介護者が乗って沈み込んだ分に相当する高さだけ上下させるリフト機構とを備え、
該座部、該バックレスト及び該フットレストの非脚部側の側面が開放され、
該バックレスト及び該フットレストを水平に回動させた状態で、該座部、該バックレスト及び該フットレストを開放された側から該ベッドの上側に挿入可能で又離脱可能なことを特徴とする車椅子。
【請求項２】
前記リフト機構が、カム構造を有するフットペダルを備え、該フットペダルを揺動させることで、前記起立フレームを前記脚フレームに対して上方に移動させることを特徴とする請求項１記載の車椅子。
【請求項３】
前記バックレスト及び前記フットレストが、前記座部から着脱自在で、該座部の前後のいずれかの辺にも、該バックレスト及び該フットレストを装着可能であることを特徴とする請求項１又は請求項２のいずれかに記載の車椅子。
【請求項４】
前記脚フレームと前記起立フレームとの間にカラー状の高さ変換部材を備え、長さの違う高さ変換部材に交換することで前記座部の高さを変えることを特徴とする請求項１〜請求項３のいずれかに記載の車椅子。
【発明の詳細な説明】
【技術分野】
【０００１】
本発明は、車椅子に係り、特にベッドからの移乗を考慮した車椅子に関する。
【背景技術】
【０００２】
従来より、高齢者や病気・けがの人（要介護者）をベッドからトイレやその他の場所に移動させるための車椅子が提案されている。例えば、特許文献１に示す介護用椅子は、介護用椅子の後方の背もたれ部分及び座部が着脱可能で、座部の後方下部が開放された構造を有している。介護用車椅子から背もたれ部分と座部を取り除いた状態で、ベッドの縁に要介護者を座らせた上で、要介護者に向かって介護用椅子をベッドの方向に後退させる。介護用車椅子が後ろ向きにベッドの縁に嵌り込むことで、ベッドの縁に座る要介護者は、あたかも介護用車椅子に座ったような位置になる。この状態で、要介護者の腰を浮かせて座部を介護用椅子に装着し、また、背もたれ部分を介護用椅子に装着することで、要介護者が介護用椅子に座ったことになる。その後、介護用椅子をベッドから抜き取ることで、要介護者が、介護用椅子に座った状態で移動可能になる。
【先行技術文献】
【特許文献】
【０００３】
【特許文献１】特開２０１０−２１３７９５号公報
【発明の概要】
【発明が解決しようとする課題】
【０００４】
しかしながら、従来の介護用車椅子では、ベッドに寝ている要介護者が介護用車椅子に座る場合には、一旦、ベッドの端に座る必要があり、座位をとることができない要介護者では、従来の介護用車椅子を用いることは困難である。
【０００５】
本発明は、このような事情に鑑みてなされたもので、ベッドに寝ている要介護者の移乗が可能で容易な車椅子を提供することにある。
【課題を解決するための手段】
【０００６】
請求項１記載の車椅子は、要介護者の尻部が乗る座部と、座部の前後のいずれかの一辺に回動自在に設けられ、要介護者の背部を保持するバックレストと、座部の前後の他辺に回動自在に設けられ、要介護者の脚を保持するフットレストと、ベッドの下方に挿入可能な脚フレームと脚フレームの一端から起立する起立フレームとを有し、起立フレームが座部の側面をベッドの寝具上面より高く保持する脚部と、座部を要介護者が乗って沈み込んだ分に相当する高さだけ上下させるリフト機構とを備え、座部、バックレスト及びフットレストの非脚部側の側面が開放され、バックレスト及びフットレストを水平に回動させた状態で、座部、バックレスト及びフットレストを開放された側からベッドの上側に挿入可能で又離脱可能なことを特徴とする。
【０００７】
請求項２記載の車椅子は、リフト機構が、カム構造を有するフットペダルを備え、フットペダルを揺動させることで、起立フレームを脚フレームに対して上方に移動させることを特徴とする。
【０００８】
請求項３記載の車椅子は、バックレスト及びフットレストが、座部から着脱自在で、座部の前後のいずれかの辺にも、バックレスト及びフットレストを装着可能であることを特徴とする。
【０００９】
請求項４記載の車椅子は、脚フレームと起立フレームとの間にカラー状の高さ変換部材を備え、長さの違う高さ変換部材に交換することで座部の高さを変えることを特徴とする。
【発明の効果】
【００１０】
請求項１の発明によれば、座部、バックレスト及びフットレストの非脚部側の側面が開放され、バックレスト及びフットレストを水平に回動させた状態で、座部、バックレスト及びフットレストを開放された側からベッドの上側に挿入可能で又離脱可能なことから、座部、バックレスト及びフットレストが、ベッド上で要介護者の移乗が可能で、且つ容易に移乗を行うことができる。また、座部を要介護者が乗って沈み込んだ分に相当する高さだけ上下させるリフト機構とを備えることから、要介護者が座部に乗った状態でも、スムーズにベッドから離間させることができる。
【００１１】
請求項２の発明によれば、リフト機構が、カム構造を有するフットペダルを備え、フットペダルを揺動させることで、起立フレームを脚フレームに対して上方に移動させることができ、構造が容易でまた操作も容易である。
【００１２】
請求項３の発明によれば、バックレスト及びフットレストが、座部から着脱自在で、座部の前後のいずれかの辺にも、バックレスト及びフットレストを装着可能であることから、バックレスト及びフットレストを付け替えることで、どの向きに寝ている要介護者に対しても、ベッドの左右どちらからでも適宜車椅子を挿入することができる。
【００１３】
請求項４の発明によれば、脚フレームと起立フレームとの間にカラー状の高さ変換部材を備え、長さの違う高さ変換部材に交換することで座部の高さを変えることができることから、容易な構造で且つ容易な作業で、高さの違うベッドの適用することができる。
【図面の簡単な説明】
【００１４】
【図１】本発明に係る車椅子の一例を示す斜視図である。
【図２】同車椅子の動作を示す斜視図である。
【図３】同車椅子を示す側面図である。
【図４】同車椅子の動作を示す側面図である。
【図５】同車椅子の上下動の動作を示す側面図である。
【図６】同車椅子の使用方法を示す説明図である。
【図７】同車椅子の使用方法を示す説明図である。
【図８】同車椅子の使用方法を示す説明図である。
【図９】同車椅子の使用方法を示す説明図である。
【図１０】同車椅子の使用方法を示す説明図である。
【図１１】同車椅子の側面保持部の構造を示す断面図である。
【発明を実施するための形態】
【００１５】
以下、本発明の形態について図面を参照しながら具体的に説明する。図１は、本発明に係る車椅子の一例を示す斜視図である。図２は、同車椅子の動作を示す斜視図である。図３は、同車椅子を示す側面図である。図４は、同車椅子の動作を示す側面図である。図５は、同車椅子の上下動の動作を示す側面図である。図６〜図１０は、同車椅子の使用方法を示す説明図である。図１１は、同車椅子の側面保持部の構造を示す断面図である。
【００１６】
図における車椅子１は、要介護者Ｈのベッド４からの移乗を考慮した車椅子である。車椅子１は、座部１０、バックレスト２０、フットレスト３０、脚部４０等から構成されている。座部１０は、要介護者Ｈが尻部を乗せ、腰を降ろす部分である。バックレスト２０は、座部１０の前後のいずれかの一辺に回動自在に設けられ、要介護者Ｈの背部を保持する部分である。フットレスト３０は、座部１０の前後の他辺に回動自在に設けられ、要介護者Ｈの脚を保持する部分である。脚部４０は、座部１０、バックレスト２０及びフットレスト３０を、所定の高さに保持するものである。
【００１７】
座部１０は、前後に並行して水平に設けられた棒状の座部前方支点フレーム１６と、座部後方支点フレーム１８と、座部前方支点フレーム１６の一端と座部後方支点フレーム１８の一端とを繋ぐ座部外側フレーム１２で構成されている。そして、座部前方支点フレーム１６と座部後方支点フレーム１８との間には、布状の座面シート１４が架け渡されている。要介護者Ｈは、この座面シート１４に腰を降ろすことになる。
【００１８】
座部１０の座部後方支点フレーム１８には、要介護者Ｈの背部を保持するバックレスト２０が回動自在に設けられている。バックレスト２０は、Ｕ字状のバックレストフレーム２２の両端部が、座部後方支点フレーム１８を支点に回動可能に固定されている。バックレストフレーム２２の左右には、布状のバックレストシート２４が架け渡されている。要介護者Ｈは、このバックレストシート２４に背中を寄り掛けることになる。尚、バックレスト２０の傾斜角度（回転と固定）は任意であり、座部後方支点フレーム１８の端部に設けられた角度ロック用つまみ１８ａにより、バックレスト２０の回転を止めて固定させることができる。
【００１９】
バックレストフレーム２２の座部外側フレーム１２側には、バックレストフレーム２２を覆うように設けられたアームレスト保持具２８ａを介して、棒状のアームレスト２８が突出している。図１に示すようなバックレスト２０が、背もたれ状の角度にあるときは、アームレスト２８が水平に伸びる位置で、バックレストフレーム２２に固定可能となっている。尚、アームレスト２８の動作は、後述する。バックレストフレーム２２の左右上部には、それぞれ外側に向かってハンドル保持具２６ａが直角に突出しており、側面から直角に棒状の手押しハンドル２６が設けられている。このように、手押しハンドル２６は、ハンドル保持具２６ａを介してバックレストフレーム２２の側面に並行して回動自在に設けられている。尚、手押しハンドル２６は、任意の角度に回動可能であり、所望の角度で固定することが可能な構造を有している。
【００２０】
座部１０の座部前方支点フレーム１６には、要介護者Ｈの脚を保持するフットレスト３０が回動自在に設けられている。フットレスト３０は、２本の略Ｌ字状のフットレストフレーム３２が、座部前方支点フレーム１６の両端部付近を支点に回動可能に固定されている。そして、フットレストフレーム３２は、互いに短片が向き合うように固定されており、その短片には、板状のフットレスト板３４が、回動自在に設けられている。要介護者Ｈは、このフットレスト板３４に足裏を載せることになる。尚、フットレスト３０の傾斜角度（回転と固定）は任意であり、座部前方支点フレーム１６の端部に設けられた角度ロック用つまみ１６ａにより、フットレスト３０の回転を止めて固定させることができる。
【００２１】
脚部４０は、略Ｌ字状の脚フレーム４２と脚フレーム４２の一端から起立する起立フレーム５２等から構成されている。脚フレーム４２は、パイプ状で、座部前方支点フレーム１６及び座部後方支点フレーム１８と同じ幅で、それらの下方の床面近くに並行に２本設けられている。脚フレーム４２の横長部分は、座部前方支点フレーム１６及び座部後方支点フレーム１８よりも長く、端部に脚部ステー４４が架け渡されている。脚フレーム４２の横長部分の両端部の下部には、それぞれキャスター４６が設けられている。この４つのキャスター４６が、車椅子１を移動するための車輪となる。尚、キャスター４６には、回転を規制するためのストッパーがそれぞれ設けられている。
【００２２】
脚フレーム４２の起立部分には、板状のリフト基台ステー６４が、架け渡されている。そして、脚フレーム４２の起立端部には、図１１に示すように、円筒形のリフトパイプ６２が挿管され、リフトパイプ６２相互の間には、板状のリフトパイプステー６２ａが架け渡されている。そして、リフトパイプ６２の上方には、カラー状の高さ変換部材である高さ変換パイプ６０が挿嵌され、さらにその上方に、パイプ状の起立フレーム５２が設けられている。この起立フレーム５２の相互には、側面ステー５４が架け渡され、側面ステー５４の上側に、座部前方支点フレーム１６及び座部後方支点フレーム１８の端部付近が固定されている。そして、さらに起立フレーム５２は、上方に伸び、相互の上端部付近に棒状の保持部側アームレスト５６が架け渡されている。
【００２３】
このように、脚部４０の脚部フレーム４２から起立するリフトパイプ６２、高さ変換パイプ６０、起立フレーム５２により、座部１０を一方の側面のみから所定の高さに保持する側面保持部５０が、構成されている。尚、座部１０が保持される高さは、図６〜１０にあるように、ベッド４の寝具６の寝具上面６ａよりわずかに高い位置である。
【００２４】
リフト基台ステー６４の中央には、略長方形の板状のリフト基台７４が添えて固定されている。そして、リフト基台７４の上部には、板状で略直角三角形のフットペダル７２の起立辺が、上下に摺動可能で且つ回動自在に固定されている。これにより、フットペダル７２は、リフト基台７４に対して、揺動可能になっている。フットペダル７２の略直角部分には、細長の板材である下部連結板７６の上端が回動自在に固定され、この下部連結板７６は傾斜した状態で下端が、リフト基台７４の下部に回動自在に固定されている。また、フットペダル７２の上方角部分には、細長の板材である上部連結板７８の下端が回動自在に固定され、この上部連結板７８は傾斜した状態で上端が、リフトパイプステー６２ａの中央に回動自在に固定されている。
【００２５】
このように、フットペダル７２が、傾斜した上部連結板７８及び下部連結板７６とを介して、リフトパイプステー６２ａ及びリフト基台ステー６４とに連結され、且つフットペダル７２がリフト基台７４上で揺動可能なことから、傾斜した上部連結板７８及び下部連結板７６並びにフットペダル７２がカム構造になり、フットペダル７２を揺動させることで、リフトパイプステー６２ａを、リフト基台ステー６４から離間させたり近づけたりさせることができる。リフトパイプステー６２ａを、リフト基台ステー６４から離間させたり近づけたりさせることで、リフトパイプ６２も上下し、起立フレーム５２を脚フレーム４２に対して上方に移動させることになり、座部１０も上下する。このように、フットペダル７２、リフト基台７４、下部連結板７６、上部連結板７８、リフトパイプステー６２ａ及びリフト基台ステー６４で、座部１０を上下させるリフト機構７０が構成されている。
【００２６】
また、リフト機構７０が、座部１０をリフトアップした状態を保持させるロック機構を備え、具体的には、フットペダル７２を踏み込んで揺動させた状態で係止し、さらに踏み込むとその係止が外れるような機構や、係止させたフットペダル７２を起立フレーム５２の上部に設けられたロック解除用のつまみを操作して係止を解除させるような機構など、その構造が制限されるものではない。尚、リフト機構７０では、座部１０を約３０ｍｍ〜約５０ｍｍ上下させることができる。この上下させられる高さは、座部１０に要介護者が乗った状態で沈み込んだ分に相当する高さで、リフト機構７０は、この沈み込み分に相当する高さの上下動を可能にするものである。
【００２７】
次に、上記のような構造の車椅子１の使用方法を説明する。まず、ベッド４に横たわる要介護者Ｈを、車椅子１に移乗させる場合を説明する。最初に、図２及び図４に示すように、バックレスト２０とフットレスト３０を、水平に回動させて固定し、座部１０、バックレスト２０及びフットレスト３０が、一直線上に水平に平らになるようにする。このとき、アームレスト２８は、バックレストシート２４の裏側に移動させておく。それから、図６に示すように、座部１０、バックレスト２０及びフットレスト３０を側面保持部５０とは反対側の開放された側から、ベッド４の寝具６の上側に挿入していく。このとき、脚フレーム４２は、ベッド４の下方のベッド脚８の隙間に入り込んでいく。
【００２８】
このとき、要介護者Ｈの身体を９０度横向きにしておき、図７に示すように、車椅子１をベッド４に入れ込んだ後、ストッパーでキャスター４６を固定し、要介護者Ｈの身体を仰向けに戻しつつ、座部１０の座面シート１４の上に、要介護者Ｈの尻部を乗せるようにする。要介護者Ｈの背中を、バックレスト２０のバックレストシート２４の上に乗るようにもする（図８）。図示はしていないが、要介護者Ｈが、車椅子１に仰向けで乗った段階で、角度ロック用つまみ１８ａを操作して、バックレスト２０を約８０度ほど起き上がらせ、アームレスト２８を要介護者Ｈの横方向に出すようにしてもよい。
【００２９】
次に、図９に示すように、フットペダル７２の踏込部７２ａを踏んで、座部１０、バックレスト２０及びフットレスト３０を上昇させ、上昇した状態で固定させる（図１１の（ａ）から（ｂ）の状態になる）。そして、キャスター４６のストッパーを解除し、起立フレーム５２の保持部側アームレスト５６を引きながら、車椅子１をベッド４から離間させる。
【００３０】
座部１０、バックレスト２０及びフットレスト３０がベッド４の上方から完全に離脱した状態で、一旦車椅子１を駐め、再びストッパーでキャスター４６を固定し、車椅子１が不用意に動かないようにする。その上で、フットペダル７２の踏込部７２ａを踏みながら、リフト機構７０のロックを解除すると共に、踏み込みを緩めて座部１０、バックレスト２０及びフットレスト３０を徐々に下に下げる。座部１０、バックレスト２０及びフットレスト３０を下げきった後、フットレスト板３４に要介護者の足裏を乗せつつ、フットレスト３０を、下方向に７０度程度回動させる。次に、バックレスト２０をさらに上昇させ、バックレスト２０及びフットレスト３０の角度を、要介護者Ｈが座りやすい角度にして固定させる。アームレスト２８及び手押しハンドル２６を水平にさせ（図１や図３の状態）、キャスター４６のストッパーを解除し、車椅子１を移動させる。要介護者Ｈが、図１や図３の状態の車椅子１に座った状態から、ベッド４に戻る場合には、上述のベッド４から車椅子１に移乗する場合の逆の手順で行うようにすればよい。
【００３１】
以上のような本実施の形態における車椅子１によれば、座部１０、バックレスト２０及びフットレスト３０の非脚部側の側面が開放され、バックレスト２０及びフットレスト３０を水平に回動させた状態で、座部１０、バックレスト２０及びフットレスト３０を開放された側からベッド４の上側に挿入可能で又離脱可能なことから、座部１０、バックレスト２０及びフットレスト３０が、ベッド４上で要介護者Ｈの移乗が可能で、且つ容易に移乗を行うことができる。また、座部１０を要介護者Ｈが乗って沈み込んだ分に相当する高さだけ上下させるリフト機構７０とを備えることから、要介護者Ｈが座部１０に乗った状態でも、スムーズにベッドから離間させることができる。
【００３２】
さらに、リフト機構７０が、カム構造を有するフットペダル７２を備え、フットペダル７２を揺動させることで、起立フレーム５２を脚フレーム４２に対して上方に移動させることができ、構造が容易でまた操作も容易である。
【００３３】
また、バックレスト２０及びフットレスト３０を、座部１０から着脱自在にすることで、座部１０の前後のいずれかの辺にも、バックレスト１０及びフットレスト３０を装着可能となり、バックレスト１０及びフットレスト３０を付け替えることで、どの向きに寝ている要介護者Ｈに対しても、ベッド４の左右どちらからでも適宜車椅子１を挿入することができる。
【００３４】
さらに、脚フレーム４２と起立フレーム５２との間にカラー状の高さ変換部材である高さ変換パイプ６０を長さの違うものに交換することができ、交換することで座部１０の高さを変えることができることから、容易な構造で且つ容易な作業で、高さの違うベッド４の適用することができる。
【００３５】
尚、バックレスト２０及びフットレスト３０を任意の角度で固定できるようにしているが、本発明の実施に適した固定の角度にしか動かないように角度を固定的に選択できるようにしてもかまわない。また、角度ロック用つまみ１６ａ及び角度ロック用つまみ１８ａを、車椅子１の外側の座部前方支点フレーム１６及び座部後方支点フレーム１８の端部に設けているが、この位置に限られたものではなく、座部１０に近接した位置に設けることも可能で、位置により限定されるものではない。
【産業上の利用可能性】
【００３６】
以上のように、本発明によれば、ベッドに寝ている要介護者の移乗が可能で容易な車椅子を提供することができる。
【符号の説明】
【００３７】
１・・・・・車椅子
４・・・・・ベッド
６・・・・・寝具
６ａ・・・・寝具上面
８・・・・・ベッド脚
１０・・・・座部
１２・・・・座部外側フレーム
１４・・・・座面シート
１６・・・・座部前方支点フレーム
１６ａ・・・角度ロック用つまみ
１８・・・・座部後方支点フレーム
１８ａ・・・角度ロック用つまみ
２０・・・・バックレスト
２２・・・・バックレストフレーム
２４・・・・バックレストシート
２６・・・・手押しハンドル
２６ａ・・・ハンドル保持具
２８・・・・アームレスト
２８ａ・・・アームレスト保持具
３０・・・・フットレスト
３２・・・・フットレストフレーム
３４・・・・フットレスト板
４０・・・・脚部
４２・・・・脚フレーム
４４・・・・脚部ステー
４６・・・・キャスター
５０・・・・側面保持部
５２・・・・起立フレーム
５４・・・・側面ステー
５６・・・・保持部側アームレスト
６０・・・・高さ変換パイプ
６２・・・・リフトパイプ
６２ａ・・・リフトパイプステー
６４・・・・リフト基台ステー
７０・・・・リフト機構
７２・・・・フットペダル
７２ａ・・・踏込部
７４・・・・リフト基台
７６・・・・下部連結板
７８・・・・上部連結板
【図１】
2012147881.tif 000003
【図２】
2012147881.tif 000004
【図３】
2012147881.tif 000005
【図４】
2012147881.tif 000006
【図５】
2012147881.tif 000007
【図６】
2012147881.tif 000008
【図７】
2012147881.tif 000009
【図８】
2012147881.tif 000010
【図９】
2012147881.tif 000011
【図１０】
2012147881.tif 000012
【図１１】
2012147881.tif 000013